【手続補正書】
【提出日】平成27年12月25日(2015.12.25)
【手続補正１】
【補正対象書類名】特許請求の範囲
【補正対象項目名】全文
【補正方法】変更
【補正の内容】
【特許請求の範囲】
【請求項１】
照射ゾーンを少なくとも部分的に画定する筐体であって、前記照射ゾーンは、ヒト患者の少なくとも一部分を収容するように構成されている、筐体と、
前記筐体によって支持されている紫外線（ＵＶ）放射源と、
前記ＵＶ放射源と前記照射ゾーンとの間のフィルタであって、前記フィルタは、所定のスペクトルの外側のＵＶ放射を少なくとも実質的に除去するように構成され、前記所定のスペクトルは、最大でも１０ｎｍの帯域幅を有し、約２９７ｎｍを中心とする、フィルタと
を備えている、光線治療装置。
【請求項２】
前記筐体は、前記照射ゾーンを少なくとも部分的に取り囲む側壁を含み、
前記ＵＶ放射源は、複数の高輝度放電ランプを備え、
前記フィルタは、対応する複数の高輝度放電ランプを少なくとも部分的に覆う複数のコーティングされた石英ガラス管を備え、
前記フィルタの前記所定のスペクトルは、約２９２〜３０２ｎｍであり、
前記光線治療装置は、前記ヒト患者の皮膚を介してビタミンＤ産生を促進するように構成されている、請求項１に記載の光線治療装置。
【請求項３】
前記筐体は、前記照射ゾーンに向けられている少なくとも１本のカラムを備え、
前記ＵＶ放射源は、複数のメタルハライドランプを備え、
前記光線治療装置は、対応する複数のメタルハライドランプを部分的に包囲する複数の反射体をさらに備え、前記反射体は、個々のメタルハライドランプによって放出されるＵＶエネルギーを前記フィルタに向けるように構成されている、請求項１に記載の光線治療装置。
【請求項４】
前記フィルタの前記所定のスペクトルは、最大でも８ｎｍの帯域幅を有する、請求項１に記載の光線治療装置。
【請求項５】
前記ＵＶ放射源および前記フィルタは、２分以下の暴露期間中に１未満の肌タイプ調整ＭＥＤを送達するように構成されている、請求項１に記載の光線治療装置。
【請求項６】
前記ＵＶ放射源は、複数のメタルハライドランプを備えている、請求項１に記載の光線治療装置。
【請求項７】
前記ＵＶ放射源は、キセノンランプを備えている、請求項１に記載の光線治療装置。
【請求項８】
前記ＵＶ放射源は、約２９５〜３０２ｎｍの波長を有する複数のＬＥＤを備えている、請求項１に記載の光線治療装置。
【請求項９】
前記ＵＶ放射源および前記フィルタは、集束ＵＶＢ放射アセンブリを画定し、前記集束ＵＶＢ放射アセンブリは、前記ＵＶ放射源を少なくとも部分的に包囲し、前記ＵＶ放射源によって放出されるＵＶエネルギーを前記フィルタに向けるように構成されている反射体をさらに備えている、請求項１に記載の光線治療装置。
【請求項１０】
前記反射体は、前記ＵＶ放射源が前記フィルタに接触する前に、前記ＵＶ放射源によって放出されるＵＶエネルギーを少なくとも実質的に平行にするように構成されている、請求項９に記載の光線治療装置。
【請求項１１】
前記集束ＵＶＢ放射アセンブリは、前記ＵＶ放射源と前記フィルタとの間に遮蔽体をさらに備え、前記遮蔽体は、前記ＵＶ放射源によって放出される少なくとも一部のＵＶエネルギーを、前記フィルタに接触する前に前記反射体に向けるように構成されている、請求項１０に記載の光線治療装置。
【請求項１２】
前記フィルタは、コーティングされたガラス基板を備えている、請求項１に記載の光線治療装置。
【請求項１３】
前記コーティングされたガラス基板は、前記ＵＶ放射源を覆うスリーブである、請求項１２に記載の光線治療装置。
【請求項１４】
前記ヒト患者におけるビタミンＤ合成に影響を及ぼすパラメータに関係するユーザ入力を受信するように構成されているユーザインターフェースをさらに備えている、請求項１に記載の光線治療装置。
【請求項１５】
前記ユーザインターフェースは、前記光線治療装置、またはそれに通信可能に連結されている遠隔光線治療装置によって提供された以前の光線療法セッションに関するフィードバックをユーザから受信するように構成されている、請求項１４に記載の光線治療装置。
【請求項１６】
空間を少なくとも部分的に取り囲む筐体であって、前記空間は、人体の少なくとも一部分を収容するように構成されている、筐体と、
概して、前記空間に向けられている集束紫外線Ｂ（ＵＶＢ）放射アセンブリと
を備え、
前記集束ＵＶＢ放射アセンブリは、概して、約２９７ｎｍで集束されているＵＶＢ放射を送達するように構成され、前記ＵＶＢ放射アセンブリは、２分未満の暴露期間中にヒトの皮膚において少なくとも２０，０００ＩＵのビタミンＤ産生を促進するように構成されている、
光線治療装置。
【請求項１７】
前記集束ＵＶＢ放射アセンブリは、所定のスペクトルの外側のＵＶ放射を少なくとも実質的に遮断する手段を含み、前記所定のスペクトルは、約２９２〜３０２ｎｍの範囲内である、請求項１６に記載の光線治療装置。
【請求項１８】
前記集束ＵＶＢ放射アセンブリは、
複数のメタルハライドランプと、
前記メタルハライドランプと前記空間との間で離間されている複数のフィルタと
を備えている、請求項１６に記載の光線治療装置。
【請求項１９】
前記フィルタは、約２９２〜３０２ｎｍの集束スペクトルの外側のＵＶ放射を少なくとも実質的に除去するように構成されている、請求項１８に記載の光線治療装置。
【請求項２０】
前記ＵＶＢ放射アセンブリは、前記複数のメタルハライドランプを少なくとも部分的に包囲する複数の平行反射体をさらに備えている、請求項１９に記載の光線治療装置。
【請求項２１】
前記集束ＵＶ放射アセンブリは、１ＭＥＤの最大でも９０％に人体を暴露させるように構成され、前記ＭＥＤは、前記人体の肌のタイプに合わせて調整されている、請求項１６に記載の光線治療装置。
【請求項２２】
肌のタイプまたはビタミンＤ要求のうちの少なくとも１つに関係するユーザ入力を受信するように構成されているユーザインターフェースをさらに備えている、請求項１６に記載の光線治療装置。
【請求項２３】
集束紫外線放射を送達するための光線治療装置であって、前記光線治療装置は、
概して、筐体によって画定される照射ゾーンに向けて紫外線を伝送するための手段と、
所定のスペクトルの外側の前記紫外線を少なくとも実質的にフィルタリングするための手段であって、前記所定のスペクトルは、約２９７ｎｍを中心とする、手段と、
５分以内に、前記紫外線の前記伝送を終了するための手段と
を備えている、光線治療装置。
【請求項２４】
ユーザ入力を受信するためのユーザインターフェースであって、前記ユーザ入力は、肌のタイプまたはビタミンＤ投与量のうちの少なくとも１つに関係する、ユーザインターフェースと、
少なくとも部分的に前記照射ゾーン内でビタミンＤの用量をユーザに送達するための手段であって、前記ビタミンＤの用量は、前記ユーザ入力に関係する、手段と
をさらに備えている、請求項２３に記載の光線治療装置。
【請求項２５】
前記ユーザインターフェースは、前記光線治療装置、またはそれに連結されている遠隔光線治療装置によって送達された以前のビタミンＤ用量に関係するフィードバックを前記ユーザから受信する、請求項２４に記載の光線治療装置。
【請求項２６】
ビタミンＤ光線療法を提供するための、照射ゾーンと前記照射ゾーンに向けられた集束紫外線Ｂ（ＵＶＢ）放射アセンブリを有する光線治療装置であって、前記光線治療装置は、
前記集束ＵＶＢ放射アセンブリを介して、少なくとも実質的に所定のスペクトル内で集束されるＵＶ光線を生成するための手段であって、前記所定のスペクトルは、約２９０〜３０６ｎｍの範囲内である、手段と、
所定の暴露時間以内に前記照射ゾーン内でビタミンＤの用量をヒト患者に送達するための手段であって、前記ビタミンＤは、前記ヒト患者の皮膚の複数部分で産生される、手段と
を備えている、光線治療装置。
【請求項２７】
少なくとも１つの高輝度放電ランプからＵＶ放射を伝送するための手段と、
前記少なくとも１つの高輝度放電ランプと内部チャンバとの間のコーティングされた基板を使用して、前記所定のスペクトルの外側の前記ＵＶ放射を少なくとも実質的にフィルタリングするための手段と
をさらに備えている、請求項２６に記載の光線治療装置。
【請求項２８】
前記ＵＶ光線は、約２９７ｎｍを中心とする最大でも１０ｎｍのスペクトル内で少なくとも実質的に集束されている波長を有する、請求項２６に記載の光線治療装置。
【請求項２９】
最大でも３分以内に前記ＵＶＢ放射を終了するための手段をさらに備えている、請求項２６に記載の光線治療装置。
【請求項３０】
１未満の肌タイプ調整ＭＥＤに前記ユーザを暴露させるための手段をさらに備えている、請求項２６に記載の光線治療装置。
【請求項３１】
最大でも３分後に前記ＵＶ光線を自動的に終了するための手段をさらに備えている、請求項２６に記載の光線治療装置。
【請求項３２】
ビタミンＤ投与量または肌のタイプのうちの少なくとも１つに関係するユーザ入力を受信するための手段と、
前記ユーザ入力に基づいて、前記ビタミンＤの用量の所定の期間を選択するための手段と
をさらに備えている、請求項２６に記載の光線治療装置。
【請求項３３】
光線治療装置を制御するためのコンピュータ読み取り可能な媒体であって、前記媒体は、方法を前記光線治療装置に行わせるための命令を有し、前記方法は、
前記光線治療装置の照射ゾーンに向けられるＵＶ放射源を介して、少なくとも実質的に所定のスペクトル内で集束される紫外線（ＵＶ）を生成することであって、前記所定のスペクトルは、概して、約２９７ｎｍで集束される、ことと、
所定の期間内にチャンバ内でビタミンＤの用量をユーザに送達することと
を含む、コンピュータ読み取り可能な媒体。
【請求項３４】
少なくとも実質的に前記所定のスペクトル内で集束されるＵＶ光線を生成するための前記命令は、約２９０ｎｍから約３０５ｎｍの間の波長を伴うＵＶエネルギーを生成することを含む、請求項３３に記載のコンピュータ読み取り可能な媒体。
【請求項３５】
前記命令は、前記ユーザが最大でも２標準ＭＥＤに暴露されたときに前記ＵＶ放射を終了することをさらに含む、請求項３３に記載のコンピュータ読み取り可能な媒体。
【請求項３６】
前記所定の期間内に前記ビタミンＤの用量を前記ユーザに送達する前記命令は、最大でも３分後に前記ＵＶ放射を終了することを含む、請求項３３に記載のコンピュータ読み取り可能な媒体。
【手続補正２】
【補正対象書類名】明細書
【補正対象項目名】０００６
【補正方法】変更
【補正の内容】
【０００６】
本発明は、例えば、以下を提供する：
（項目１）
照射ゾーンを少なくとも部分的に画定する筐体であって、前記照射ゾーンは、ヒト患者の少なくとも一部分を収容するように構成されている、筐体と、
前記筐体によって支持されている紫外線（ＵＶ）放射源と、
前記ＵＶ放射源と前記照射ゾーンとの間のフィルタであって、前記フィルタは、所定のスペクトルの外側のＵＶ放射を少なくとも実質的に除去するように構成され、前記所定のスペクトルは、最大でも１０ｎｍの帯域幅を有し、約２９７ｎｍを中心とする、フィルタと
を備えている、光線治療装置。
（項目２）
前記筐体は、前記照射ゾーンを少なくとも部分的に取り囲む側壁を含み、
前記ＵＶ放射源は、複数の高輝度放電ランプを備え、
前記フィルタは、対応する複数の高輝度放電ランプを少なくとも部分的に覆う複数のコーティングされた石英ガラス管を備え、
前記フィルタの前記所定のスペクトルは、約２９２〜３０２ｎｍであり、
前記光線治療装置は、前記ヒト患者の皮膚を介してビタミンＤ産生を促進するように構成されている、項目１に記載の光線治療装置。
（項目３）
前記筐体は、前記照射ゾーンに向けられている少なくとも１本のカラムを備え、
前記ＵＶ放射源は、複数のメタルハライドランプを備え、
前記光線治療装置は、対応する複数のメタルハライドランプを部分的に包囲する複数の反射体をさらに備え、前記反射体は、個々のメタルハライドランプによって放出されるＵＶエネルギーを前記フィルタに向けるように構成されている、項目１に記載の光線治療装置。
（項目４）
前記フィルタの前記所定のスペクトルは、最大でも８ｎｍの帯域幅を有する、項目１に記載の光線治療装置。
（項目５）
前記ＵＶ放射源および前記フィルタは、２分以下の暴露期間中に１未満の肌タイプ調整ＭＥＤを送達するように構成されている、項目１に記載の光線治療装置。
（項目６）
前記ＵＶ放射源は、複数のメタルハライドランプを備えている、項目１に記載の光線治療装置。
（項目７）
前記ＵＶ放射源は、キセノンランプを備えている、項目１に記載の光線治療装置。
（項目８）
前記ＵＶ放射源は、約２９５〜３０２ｎｍの波長を有する複数のＬＥＤを備えている、項目１に記載の光線治療装置。
（項目９）
前記ＵＶ放射源および前記フィルタは、集束ＵＶＢ放射アセンブリを画定し、前記集束ＵＶＢ放射アセンブリは、前記ＵＶ放射源を少なくとも部分的に包囲し、前記ＵＶ放射源によって放出されるＵＶエネルギーを前記フィルタに向けるように構成されている反射体をさらに備えている、項目１に記載の光線治療装置。
（項目１０）
前記反射体は、前記ＵＶ放射源が前記フィルタに接触する前に、前記ＵＶ放射源によって放出されるＵＶエネルギーを少なくとも実質的に平行にするように構成されている、項目９に記載の光線治療装置。
（項目１１）
前記集束ＵＶＢ放射アセンブリは、前記ＵＶ放射源と前記フィルタとの間に遮蔽体をさらに備え、前記遮蔽体は、前記ＵＶ放射源によって放出される少なくとも一部のＵＶエネルギーを、前記フィルタに接触する前に前記反射体に向けるように構成されている、項目１０に記載の光線治療装置。
（項目１２）
前記フィルタは、コーティングされたガラス基板を備えている、項目１に記載の光線治療装置。
（項目１３）
前記コーティングされたガラス基板は、前記ＵＶ放射源を覆うスリーブである、項目１２に記載の光線治療装置。
（項目１４）
前記ヒト患者におけるビタミンＤ合成に影響を及ぼすパラメータに関係するユーザ入力を受信するように構成されているユーザインターフェースをさらに備えている、項目１に記載の光線治療装置。
（項目１５）
前記ユーザインターフェースは、前記光線治療装置、またはそれに通信可能に連結されている遠隔光線治療装置によって提供された以前の光線療法セッションに関するフィードバックをユーザから受信するように構成されている、項目１４に記載の光線治療装置。
（項目１６）
空間を少なくとも部分的に取り囲む筐体であって、前記空間は、人体の少なくとも一部分を収容するように構成されている、筐体と、
概して、前記空間に向けられている集束紫外線Ｂ（ＵＶＢ）放射アセンブリと
を備え、
前記集束ＵＶＢ放射アセンブリは、概して、約２９７ｎｍで集束されているＵＶＢ放射を送達するように構成され、前記ＵＶＢ放射アセンブリは、２分未満の暴露期間中にヒトの皮膚において少なくとも２０，０００ＩＵのビタミンＤ産生を促進するように構成されている、
光線治療装置。
（項目１７）
前記集束ＵＶＢ放射アセンブリは、所定のスペクトルの外側のＵＶ放射を少なくとも実質的に遮断する手段を含み、前記所定のスペクトルは、約２９２〜３０２ｎｍの範囲内である、項目１６に記載の光線治療装置。
（項目１８）
前記集束ＵＶＢ放射アセンブリは、
複数のメタルハライドランプと、
前記メタルハライドランプと前記空間との間で離間されている複数のフィルタと
を備えている、項目１６に記載の光線治療装置。
（項目１９）
前記フィルタは、約２９２〜３０２ｎｍの集束スペクトルの外側のＵＶ放射を少なくとも実質的に除去するように構成されている、項目１８に記載の光線治療装置。
（項目２０）
前記ＵＶＢ放射アセンブリは、前記複数のメタルハライドランプを少なくとも部分的に包囲する複数の平行反射体をさらに備えている、項目１９に記載の光線治療装置。
（項目２１）
前記集束ＵＶ放射アセンブリは、１ＭＥＤの最大でも９０％に人体を暴露させるように構成され、前記ＭＥＤは、前記人体の肌のタイプに合わせて調整されている、項目１６に記載の光線治療装置。
（項目２２）
肌のタイプまたはビタミンＤ要求のうちの少なくとも１つに関係するユーザ入力を受信するように構成されているユーザインターフェースをさらに備えている、項目１６に記載の光線治療装置。
（項目２３）
光線治療装置を用いて集束紫外線放射を送達する方法であって、前記方法は、
概して、筐体によって画定される照射ゾーンに向けて紫外線を伝送することと、
所定のスペクトルの外側の前記紫外線を少なくとも実質的にフィルタリングすることであって、前記所定のスペクトルは、約２９７ｎｍを中心とする、ことと、
５分以内に、前記紫外線の前記伝送を終了することと
を含む、方法。
（項目２４）
ユーザインターフェースを介してユーザ入力を受信することであって、前記ユーザ入力は、肌のタイプまたはビタミンＤ投与量のうちの少なくとも１つに関係する、ことと、
少なくとも部分的に前記照射ゾーン内でビタミンＤの用量をユーザに送達することであって、前記ビタミンＤの用量は、前記ユーザ入力に関係する、ことと
をさらに含む、項目２３に記載の方法。
（項目２５）
前記光線治療装置、またはそれに連結されている遠隔光線治療装置によって送達された以前のビタミンＤ用量に関係するフィードバックを前記ユーザから受信することをさらに含む、項目２４に記載の方法。
（項目２６）
ビタミンＤ光線療法を提供する方法であって、前記方法は、
照射ゾーンと前記照射ゾーンに向けられた集束紫外線Ｂ（ＵＶＢ）放射アセンブリを有する光線治療装置を提供することと、
前記集束ＵＶＢ放射アセンブリを介して、少なくとも実質的に所定のスペクトル内で集束されるＵＶ光線を生成することであって、前記所定のスペクトルは、約２９０〜３０６ｎｍの範囲内である、ことと、
所定の暴露時間以内に前記照射ゾーン内でビタミンＤの用量をヒト患者に送達することであって、前記ビタミンＤは、前記ヒト患者の皮膚の複数部分で産生される、ことと
を含む、方法。
（項目２７）
少なくとも実質的に前記所定のスペクトル内で集束されるＵＶ光線を生成することは、
少なくとも１つの高輝度放電ランプからＵＶ放射を伝送することと、
前記少なくとも１つの高輝度放電ランプと内部チャンバとの間のコーティングされた基板を使用して、前記所定のスペクトルの外側の前記ＵＶ放射を少なくとも実質的にフィルタリングすることと
を含む、項目２６に記載の方法。
（項目２８）
少なくとも実質的に前記所定のスペクトル内で集束されるＵＶ光線を生成することは、約２９７ｎｍを中心とする最大でも１０ｎｍのスペクトル内で少なくとも実質的に集束されている波長を有するＵＶ光線を生成することを含む、項目２６に記載の方法。
（項目２９）
前記ビタミンＤの用量を前記ユーザに送達することは、最大でも３分以内に前記ＵＶＢ放射を終了することを含む、項目２６に記載の方法。
（項目３０）
前記ビタミンＤの用量を前記ユーザに送達することは、１未満の肌タイプ調整ＭＥＤに前記ユーザを暴露させることを含む、項目２６に記載の方法。
（項目３１）
最大でも３分後に前記ＵＶ光線を自動的に終了することをさらに含む、項目２６に記載の方法。
（項目３２）
ビタミンＤ投与量または肌のタイプのうちの少なくとも１つに関係するユーザ入力を受信することと、
前記ユーザ入力に基づいて、前記ビタミンＤの用量の所定の期間を選択することと
をさらに含む、項目２６に記載の方法。
（項目３３）
光線治療装置を制御するためのコンピュータ読み取り可能な媒体であって、前記媒体は、方法を前記光線治療装置に行わせるための命令を有し、前記方法は、
前記光線治療装置の照射ゾーンに向けられるＵＶ放射源を介して、少なくとも実質的に所定のスペクトル内で集束される紫外線（ＵＶ）を生成することであって、前記所定のスペクトルは、概して、約２９７ｎｍで集束される、ことと、
所定の期間内にチャンバ内でビタミンＤの用量をユーザに送達することと
を含む、コンピュータ読み取り可能な媒体。
（項目３４）
少なくとも実質的に前記所定のスペクトル内で集束されるＵＶ光線を生成するための前記命令は、約２９０ｎｍから約３０５ｎｍの間の波長を伴うＵＶエネルギーを生成することを含む、項目３３に記載のコンピュータ読み取り可能な媒体。
（項目３５）
前記命令は、前記ユーザが最大でも２標準ＭＥＤに暴露されたときに前記ＵＶ放射を終了することをさらに含む、項目３３に記載のコンピュータ読み取り可能な媒体。
（項目３６）
前記所定の期間内に前記ビタミンＤの用量を前記ユーザに送達する前記命令は、最大でも３分後に前記ＵＶ放射を終了することを含む、項目３３に記載のコンピュータ読み取り可能な媒体。
以下の図面を参照して、本開示の多くの側面をより良く理解することができる。図面中の構成要素は、必ずしも一定の縮尺ではない。代わりに、本開示の原理を例証することが強調されている。